(57)【要約】      （修正有）【課題】可能な限りデッドスペースを無くした住居を提供する。【解決手段】洋室（ｂ）と玄関、洋室（ｃ）とリビング・ダイニングとが隣接した個所を有する住居において、玄関の上部空間に隣接した洋室（ｂ）より開閉できる収納部を設け、洋室（ｃ）とリビング・ダイニングとの境を３枚引き戸で仕切る。【選択図】図１
0003175786.tif 000002
【実用新案登録請求の範囲】
【請求項１】
洋室と玄関またはリビング・ダイニングとが隣接した個所を有する住居であって、玄関の上部空間に収納部を設け、該収納部の扉を隣接した洋室に設けたことを特徴とする住居。
【請求項２】
前記洋室とリビング・ダイニングとが隣接した個所において、洋室に、隣接したリビング・ダイニング側に側壁を有する収納庫を設けたことを特徴とする請求項１に記載の住居。
【請求項３】
前記洋室とリビング・ダイニングとの境近傍にセンターコンセント（テレビアウトレットとコンセント）を設置したことを特徴とする請求項１または２のずれかの項に記載の住居。
【請求項４】
前記洋室とリビング・ダイニングとの境を３枚引き戸とし、該引き戸を前記洋室に設けた収納庫の側壁に重ね合わせたことを特徴とする請求項１〜３のいずれかの項に記載の住居。
【請求項５】
前記３枚引き戸の上戸枠をしゃくりピットとしたことを特徴とする請求項１〜４のいずれかの項に記載の住居。
【請求項６】
前記洋室とリビング・ダイニングとの窓側のカーテンボックス裏側に部屋干し用レールを設けたことを特徴とする請求項１〜５のいずれかの項に記載の住居。
【考案の詳細な説明】
【技術分野】
【０００１】
本考案は洋室と玄関、または洋室とリビング・ダイニングとが隣接した個所を有する住居に関する。
【背景技術】
【０００２】
従来より戸建てやマンションなどの集合住宅においては可能な限り居住部屋のスペースを広く確保するために、家具や生活用品の収納部を多くし、また、廊下より各部屋に入るようなことはせずに、各部屋を隣接して一方の部屋から他方の部屋に直接出入りできるように構成されていることが多い。例えば玄関部分と洋室、または洋室とリビングもしくはダイニングを隣接して設けている（特許文献１，２）。このような住居においては、玄関部分では下駄箱を土間に設置し、その側面に傘立てを設けてその上部を空間部分として残したり（特許文献３）、或いは下駄箱の上部に天袋のような収納体または吊り下げ具ユニットを設けて（特許文献４）収納部分を多く取るような方法が採られていた。
また、洋室とリビングもしくはダイニングが隣接する場合、その境には鴨居もしくは敷居が設けられ、この鴨居もしくは敷居に戸を立てて洋室とリビング或いは洋室とリビングと完全に２つの空間に仕切られているのが通常であった。また、この仕切を引き戸にすることも試みられている。
【先行技術文献】
【特許文献】
【０００３】
【特許文献１】特開２０００−２４８７６１号公報
【特許文献２】特開２０００−２５７２７８号公報
【特許文献３】実開平３−１７０３２号公報
【特許文献４】実開平４−１５１０９号公報
【０００４】
しかし、下駄箱の上部を空間としてそのまま残すことはこの種の住居においてなるべく空間を利用するという趣旨に反することになり、また下駄箱上部の空間に天袋や吊り下げ具ユニット等を設けて利用することは、下駄箱は通常居住部分より低い土間にあるため天袋や吊り下げ具ユニットはかなり高い位置に存在することとなり、これを使用する者にとってはかなり高い位置に物を収納することとなり、且つ玄関という場所を考慮すると利用しにくいという欠点があった。
【０００５】
洋室とリビングもしくはダイニングが隣接する場合、その境には鴨居もしくは敷居が設けられ、この鴨居もしくは敷居に戸を立てて洋室とリビング或いは洋室とダイニングと完全に２つの空間に仕切られているのが通常であった。そのためその中にいると圧迫感を感じたり、或いは、例えば多人数が集まり広い空間として利用したくてもすることはできない等の欠点があった。この点を改良すべく両部屋間を引き戸にし、一方向に集めることも行われているが、未だ十分とは言えなかった。
【考案の概要】
【考案が解決しようとする課題】
【０００６】
本考案者は上記の点に鑑み、洋室と玄関、または洋室とリビングもしくはダイニング（以下、リビング・ダイニングと記載する）とが隣接した個所を有する住居において、玄関の下駄箱の上部空間をより一層使いやすく、また洋室とリビング・ダイニングをより一層広広とした感覚で使用できるよう種々検討した結果、本願考案を完成することができたので、本願考案の目的は洋室と玄関、または洋室とリビング・ダイニングとが隣接した個所を有する住居において、玄関の下駄箱上部の空間をより一層使用しやすくすると共に、洋室とリビング・ダイニングをより一層広い感覚で使用できるようにした住居を提供することである。
【課題を解決するための手段】
【０００７】
本願の考案の要旨は、洋室と玄関またはリビング・ダイニングとが隣接した個所を有する住居であって、前記玄関の上部空間に収納部を設け、該収納部の扉を隣接した洋室に設けたことを特徴とする住居であり、また、洋室とリビング・ダイニングとが隣接し個所において、洋室とリビング・ダイニングとの境を３枚引き戸とし、該引き戸を一方の部屋に設けた収納庫の側壁に重ねるようにしたことを特徴とする住居である。
【考案の効果】
【０００８】
本考案にあっては玄関の上部空間に設けた収納部の扉を隣接する洋室に設けたことによって利便性を増すことが出来、例えば想い出の詰まったアルバムや本など、捨て難いものの保管するのに最適な収納部として利用することができる。また洋室とリビング・ダイニングを３枚引き戸で仕切ることにより２つの空間をフレキシブルに使用することができ、特に３枚引き戸を一方の部屋に設けた収納庫の側壁に重ね合わせることによって両部屋を１つの空間として利用できる等の効果を有する。
【図面の簡単な説明】
【０００９】
【図１】本考案にかかる住居の平面図
【図２】引き戸の側面図
【図３】カーテンボックスの側面図
【実施例】
【００１０】
以下、本願考案の実施の形態を図面を参照しつつ説明する。
洋室と玄関またはリビング・ダイニングとが隣接した個所を有する住居において、間口中央付近に玄関１を設けその左右に洋室（ａ）２及び洋室（ｂ）３を設ける。玄関１より奥行き方向に廊下９を設け、廊下９の突き当たりにキッチン１１を設ける。廊下９を挟んで洋室（ａ）３側には納戸４、洗面室５・浴室６、及び洋室（ｃ）８を設け、洗面室５・浴室６と洋室（ｃ）８の間に収納庫７を設ける。他方、洋室（ｂ）２側にはトイレ１０を設け、その先にキッチン１１がある。廊下９はこのキッチン１１迄である。キッチン１１の先（奥行き方向）にリビング・ダイニング１２を設け、このリビング・ダイニング１２は洋室（ａ）３側の洋室（ｃ）８と隣接するようにし、洋室（ｃ）８とリビング・ダイニング１２との外側にバルコニー１４を設ける。
【００１１】
このような住居において、玄関１には下駄箱設け、その上部に収納庫１５を設ける。この収納庫１５は所謂天袋と称されるものであるが、本願考案においては該天袋の扉１６を玄関に隣接する洋室（ｂ）２に設ける。下駄箱の上の天袋は通常下駄箱が土間に設置されているためその天袋に物を出し入れすることは非常に高い位置に出し入れすることになり、更に玄関という場所を考慮すると非常に使い勝手が悪かったが、本願考案においては隣接する洋室（２）に扉１６を設けたことによって物の出し入れが容易となり、利用価値を高めることが出来た。特に天袋であるため日常使用する物を収納するより、例えば想い出の詰まったアルバムや本など、捨て難いものの保管するのに最適な収納部として利用することができる。
【００１２】
洋室（ｃ）８とリビング・ダイニング１２との仕切には３枚引き戸１７にする。３枚引き戸とは３枚の戸を３本の溝またはレールに嵌めて左右に移動して開閉する戸で３枚の引き戸を一個所に重ねて全開することができる。この戸自体は溝またはレールに嵌めてもよいし、或いは上部戸枠より吊り下げても良い。特に戸枠１８より吊り下げることによって床面を平らにすることが出来るので好ましい。また、３枚の引き戸１７とすることによって戸枠の幅が広くなり、この戸枠１８をしゃくり、ピット（凹部）１９とすることでハンガーをかけ洗濯ものを干したり、賞状や絵を立て掛けとすることができる（図２参照）。３枚の引き戸を一方に集め洋室（ｃ）８の収納庫７の側壁と重ね合わすことによって洋室（ｃ）８とリビング・ダイニング１２とがつながって広広としたリビングになり、多人数が集めることの出来る空間とすることが出来、また、閉めればそれぞれの個室として利用できる。更に、１枚だけ開けた場合には個室として利用できると共に出入り口として利用可能である。特に戸幅が９０ｃｍの場合、収納庫の奥行きが９０ｃｍとなり、この種住居の戸棚の奥行きより広くなり、布団を２つ折りの状態で収納することが出来、例えば季節外の布団や来客用の布団を収納しやすくなる。更にその上部には２本のハンガー用吊り具を設けることが出来、収納スペースを増やすことが出来る。洋室とリビング・ダイニングとを１つの空間としその境近傍にセンターコンセント（テレビアウトレットとコンセント）１３を設けると、多人数の者が集まり、例えばテレビ等を鑑賞することが出来ると共に家具のレイアウトの自由度が広がり、より一層利便性を増すことができる。洋室（ｃ）８とリビング・ダイニング１２のバルコニー１４に面した窓枠１５のカーテンボックス１６を設けこのカーテンボックス１６の内側にカーテンレール１９及びハンガーレール２０を取り付けておくと、このハンガーレール２０に各種ハンガー等を架ければ部屋干しに好適である（図３参照）。
【産業上の利用可能性】
【００１３】
本考案は洋室と玄関またはリビング・ダイニングとが隣接した個所を有する住居において可能な限りデッドスペースを無くしたので、上記の個所を有する比較的小さな住居において有効に利用することができる。
【図１】
0003175786.tif 000003
【図２】
0003175786.tif 000004
【図３】
0003175786.tif 000005
【手続補正書】
【提出日】平成24年3月14日(2012.3.14)
【手続補正１】
【補正対象書類名】実用新案登録請求の範囲
【補正対象項目名】全文
【補正方法】変更
【補正の内容】
【実用新案登録請求の範囲】
【請求項１】
洋室（ｂ）と玄関、及び洋室（ｃ）とリビング・ダイニングとが隣接した個所を有する住居であって、玄関の上部空間に収納部を設け、該収納部の扉を隣接した洋室（ｂ）に設けたことを特徴とする住居。
【請求項２】
前記洋室（ｃ）とリビング・ダイニングとが隣接した個所において、洋室（ｃ）に、隣接したリビング・ダイニング側に側壁を有する収納庫を設けたことを特徴とする請求項１に記載の住居。
【請求項３】
前記洋室（ｃ）とリビング・ダイニングとの境近傍にセンターコンセント（テレビアウトレットとコンセント）を設置したことを特徴とする請求項１または２のいずれかの項に記載の住居。
【請求項４】
前記洋室（ｃ）とリビング・ダイニングとの境を３枚引き戸とし、該引き戸を前記洋室（ｃ）に設けた収納庫の側壁に重ね合わせたことを特徴とする請求項１〜３のいずれかの項に記載の住居。
【請求項５】
前記３枚引き戸の上戸枠をしゃくりピットとしたことを特徴とする請求項４に記載の住居。
【請求項６】
前記洋室（ｃ）とリビング・ダイニングの奥行き方向のバルコニーに面した窓側のカーテンボックス裏側に部屋干し用レールを設けたことを特徴とする請求項１〜５のいずれかの項に記載の住居。
【手続補正２】
【補正対象書類名】明細書
【補正対象項目名】０００６
【補正方法】変更
【補正の内容】
【０００６】
本考案者は上記の点に鑑み、洋室（ｂ）と玄関、及び洋室（ｃ）とリビングもしくはダイニング（以下、リビング・ダイニングと記載する）とが隣接した個所を有する住居において、玄関の下駄箱の上部空間をより一層使いやすく、また洋室（ｃ）とリビング・ダイニングをより一層広広とした感覚で使用できるよう種々検討した結果、本願考案を完成することができたので、本願考案の目的は洋室（ｂ）と玄関、及び洋室（ｃ）とリビング・ダイニングとが隣接した個所を有する住居において、玄関の下駄箱上部の空間をより一層使用しやすくすると共に、洋室（ｃ）とリビング・ダイニングをより一層広い感覚で使用できるようにした住居を提供することである。
【手続補正３】
【補正対象書類名】明細書
【補正対象項目名】０００７
【補正方法】変更
【補正の内容】
【０００７】
本願の考案の要旨は、洋室（ｂ）と玄関及び洋室（ｃ）とリビング・ダイニングとが隣接した個所を有する住居であって、前記玄関の上部空間に収納部を設け、該収納部の扉を隣接した洋室（ｂ）に設けたことを特徴とする住居であり、洋室（ｃ）とリビング・ダイニングとが隣接し個所において、洋室（ｃ）とリビング・ダイニングとの境を３枚引き戸とし、該引き戸を一方の部屋に設けた収納庫の側壁に重ねるようにしたことを特徴とする住居である。
【手続補正４】
【補正対象書類名】明細書
【補正対象項目名】０００８
【補正方法】変更
【補正の内容】
【０００８】
本考案にあっては玄関の上部空間に設けた収納部の扉を隣接する洋室（ｂ）に設けたことによって利便性を増すことが出来、例えば想い出の詰まったアルバムや本など、捨て難いものの保管するのに最適な収納部として利用することができる。また洋室（ｃ）とリビング・ダイニングを３枚引き戸で仕切ることにより２つの空間をフレキシブルに使用することがで、特に３枚引き戸を洋室（ｃ）に設けた収納庫の側壁に重ね合わせることによって両部屋を１つの空間として利用できる等の効果を有する。